(57)【要約】      （修正有）【課題】掛止部材の枢軸に固設された回転制限片が、掛止部材が操作されるたびに連動して回動しても掛止部材に作用を及ぼすコイルばねに直接接触せず、長期間使用してもそのコイルばねを摩耗させないようにすることができるかばん錠を提供する。【解決手段】かばん本体に固定する錠体１と、カブセに取り付けられる掛止板に穿設された嵌合孔に挿通し、錠体１に回動可能に枢支された掛止部材２と、掛止部材２の枢軸２１に挿嵌され、掛止部材２の回動角度を制限する回転制限片３と、少なくとも一端が回転制限片３の係合部３１に係合可能であり、螺旋状のコイル部４１が枢軸２１に挿通されたコイルばね４と、コイルばね４のコイル部４１の内側に位置し、枢軸２１に嵌合され、回転制限片３に立設された立設片３２を覆設する保護部材５と、により構成した。【選択図】図２
2018168596.tif 000002
【特許請求の範囲】
【請求項１】
かばん本体（Ｂ）に固定する錠体（１）と、
カブセ（Ｃ）に取り付けられる掛止板（Ｐ）に穿設された嵌合孔（Ｐ１）に挿通し、前記錠体（１）に回動可能に枢支された掛止部材（２）と、
前記掛止部材（２）の枢軸（２１）に挿嵌され、前記掛止部材（２）の回動角度を制限する回転制限片（３）と、
少なくとも一端が前記回転制限片（３）の係合部（３１）に係合可能であり、螺旋状のコイル部（４１）が前記枢軸（２１）に挿通されたコイルばね（４）と、
前記コイルばね（４）のコイル部（４１）の内側に位置し、前記枢軸（２１）に嵌合され、前記回転制限片（３）に立設された立設片（３２）を覆設する保護部材（５）を備えることを特徴とするかばん錠。
【請求項２】
前記保護部材（５）が、前記コイルばね（４）より柔らかい材質から成ることを特徴とする請求項１に記載のかばん錠。
【請求項３】
前記保護部材（５）が、合成樹脂から成ることを特徴とする請求項１又は請求項２に記載のかばん錠。
【請求項４】
前記枢軸（２１）の先端部（２１Ａ）において、前記回転制限片（３）及び前記コイルばね（４）を覆う蓋部材（６）を押止する円環部材（７）又は前記蓋部材（６）と当接する段差部（２１１）を有することを特徴とする請求項１から請求項３のいずれかに記載のかばん錠。
【発明の詳細な説明】
【技術分野】
【０００１】
本発明は、かばん本体にカブセを固定するためのかばん錠に関するものである。
【背景技術】
【０００２】
従来、ランドセルなどのかばんにおいて、がばん本体にカブセがかばん錠によって固定可能とされている。かばん錠は、かばん本体に固設する錠体、掛止部材などを備えている。錠体はかばん本体の底部に取り付けられ、掛止部材はかばん本体に回動可能に取り付けられている。錠体は貫通した孔を有しており、その孔に掛止部材の軸部が挿通した状態で掛止部材が回転することにより、カブセの端部に固設された掛止板が錠体に固定される。
【０００３】
例えば、特許文献１には、かばん本体に固定する錠体と、カブセに取り付ける掛止板とを備え、掛止板に穿った嵌合孔に係合する係止突体の底面に設けた止着体を、錠体に設けた通孔に挿入し、この錠体とは別体とした箱体の止着孔に挿入して、止着体の先端部をかしめたものとして、係止突体を錠体表面に突設すると共に、箱体を錠体内部に固定し、係止突体の表面に外形が略同形の掛止部材を回動可能に枢支し、その枢軸に掛止部材を回動させる方向に作用する第一のコイルばねを設け、掛止部材の枢軸に、箱体内に一端を枢支して設けた制止板に係止する第一フランジ、および箱体内に設けた係止体に係止する第二フランジを突出した回動制限片を固着して、掛止部材が係止突体と一致した位置、または９０度回動した位置となって停止するようにし、制止板の他端にこの制止板を押し下げる方向に作用する第二のコイルばねを設けることなどにより、制止板に掛かる力により第一のコイルばねの付勢力が開放され、第一のコイルばねに係止する回動制限片を回転させるとともに掛止部材を回動させるなどするかばん錠が開示されている。
【先行技術文献】
【特許文献】
【０００４】
【特許文献１】特開２００７−７１０１３号公報
【発明の概要】
【発明が解決しようとする課題】
【０００５】
しかしながら、特許文献１のかばん錠では、回転制限片が掛止部材の枢軸に固着しているところ、回転制限片において枢軸と当接しコイルばね側に突設された対向する突設片が、掛止部材が操作されるたびに共に回動することにより、コイルばねのコイル部分の内側を接触するために、経年の使用によりコイルばねの内側が摩耗しコイルばねが正常に機能しなくなるおそれがあるという課題があった。
【０００６】
そこで、本発明は上記課題を鑑みてなされたものであり、掛止部材の枢軸に固設された回転制限片が、掛止部材が操作されるたびに連動して回動しても掛止部材に作用を及ぼすコイルばねに直接接触せず、長期間使用してもそのコイルばねを摩耗させないようにすることができるかばん錠を提供することを目的とする。
【課題を解決するための手段】
【０００７】
〔１〕すなわち、本発明は、かばん本体（Ｂ）に固定する錠体（１）と、カブセ（Ｃ）に取り付けられる掛止板（Ｐ）に穿設された嵌合孔（Ｐ１）に挿通し、前記錠体（１）に回動可能に枢支された掛止部材（２）と、前記掛止部材（２）の枢軸（２１）に挿嵌され、前記掛止部材（２）の回動角度を制限する回転制限片（３）と、少なくとも一端が前記回転制限片（３）の係合部（３１）に係合可能であり、螺旋状のコイル部（４１）が前記枢軸（２１）に挿通されたコイルばね（４）と、前記コイルばね（４）のコイル部（４１）の内側に位置し、前記枢軸（２１）に嵌合され、前記回転制限片（３）に立設された立設片（３２）を覆設する保護部材（５）を備えることを特徴とするかばん錠である。
【０００８】
〔２〕そして、前記保護部材（５）が、前記コイルばね（４）より柔らかい材質から成ることを特徴とする前記〔１〕に記載のかばん錠である。
【０００９】
〔３〕そして、前記保護部材（５）が、合成樹脂から成ることを特徴とする前記〔１〕又は前記〔２〕に記載のかばん錠である。
【００１０】
〔４〕そして、前記枢軸（２１）の先端部（２１Ａ）において、前記回転制限片（３）及び前記コイルばね（４）を覆う蓋部材（６）を押止する円環部材（７）又は前記蓋部材（６）と当接する段差部（２１１）を有することを特徴とする前記〔１〕から前記〔３〕のいずれかに記載のかばん錠である。
【発明の効果】
【００１１】
本発明のかばん錠によれば、掛止部材の枢軸に固設された回転制限片が、掛止部材が操作されるたびに連動して回動しても掛止部材に作用を及ぼすコイルばねに直接接触せず、長期間使用してもそのコイルばねを摩耗させないようにすることができる。
【図面の簡単な説明】
【００１２】
【図１】本発明の一実施の形態を示しており、ランドセルの底部に取り付けた状態を示す平面図である。
【図２】本発明の一実施の形態におけるかばん錠の分解斜視図である。
【図３】本発明の一実施の形態において、一部を透過した施錠状態のかばん錠の背面図である。
【図４】本発明の一実施の形態において、施錠状態のかばん錠の正面図である。
【図５】本発明の一実施の形態におけるＡ−Ａ線断面図である。
【図６】本発明の一実施の形態において、一部を透過した解錠状態のかばん錠の背面図である。
【図７】本発明の一実施の形態において、解錠状態のかばん錠の正面図である。
【図８】本発明の一実施の形態における回転制限片３、コイルばね４、保護部材５が組み合わせられた状態を示す斜視図である。
【図９】本発明の一実施の形態における掛止部材２及び環状部材７の拡大図である。
【発明を実施するための形態】
【００１３】
以下、本発明のかばん錠における一実施の形態について図に基づいて説明する。なお、以下に説明する実施形態は、本発明を実施するに好ましい具体例であるから、技術的に種々の限定がなされているが、本発明は、以下の説明において特に発明を限定する旨明記されていない限り、これらの形態に限定されるものではない。
【００１４】
図１に示すように、本発明のかばん錠は、ランドセルなどのかばん本体Ｂの底部に取り付けられ、ランドセルのカブゼＣの一端に固設された掛止板Ｐと係合している状態では施錠状態となりカブセＣをかばん本体Ｂに対して開けることができず、一方、掛止板Ｐと係合が解除されると解錠状態となりカブセＣをかばん本体Ｂに対して開けることができる。具体的には、掛止板Ｐに穿設された嵌合孔Ｐ１に、錠体１に対して枢動する掛止部材２が挿通した後に、錠体１の中央部１ａに外側に向かって突出するように設けられ嵌合孔Ｐ１と略同形状の外形を有する係止突体１３と嵌合孔Ｐ１が嵌合して、図１のように掛止部材２が９０度回動されると掛止部材２が掛止板Ｐと当接し、施錠状態となる。一方、図１の状態から、掛止部材２が９０度回動されると掛止部材２が掛止板Ｐと当接しなくなり、解錠状態となり、掛止部材２を掛止板Ｐの嵌合孔Ｐ１を挿通することによりカブセＣをかばん本体Ｂから開けて内容物を出し入れすることができる。
【００１５】
本発明のかばん錠は、図２に示すように、錠体１、掛止部材２、回転制限片３、コイルばね４、保護部材５、蓋部材６、円環部材７、係止部材８、弾性部材９、磁性体Ｍなどから構成され、それらの部材が適宜組み合わせられる。
【００１６】
錠体１は、掛止部材２、回転制限片３、コイルばね４、保護部材５、蓋部材６、円環部材７、係止部材８、弾性部材９、磁性体Ｍなどを収納して、かばん本体Ｂの底部に固設され、細長い形状を有する部材である。図２、図４、図７などに示すように、中央部１ａには、掛止部材２の枢軸２１を挿通する第一挿通孔１１、係止部材８の一端側を挿通する第二挿通孔１２が穿設されている。また、係止突体１３は、錠体１の中央部１ａに外側、すなわち掛止板Ｐ側に向かって突出するように設けられており、掛止板Ｐの嵌合孔Ｐ１と略同形状の外形を有していることにより、嵌合孔Ｐ１と緩嵌して掛止板Ｐが錠体１との間で大きく動くことを防いでいる。係止突体１３の中央近傍に、第一挿通孔１１が穿設されている。
【００１７】
錠体１の中央部１ａの両側に位置する袖部１ｂは、それぞれ中央部１ａに対して３〜１０度程度の角度で傾斜するように設けられており、緩やかな略Ｖ字状に中央部１ａと一体形成されている。袖部１ｂが、中央部１ａに対して所定の角度で傾斜して設けられることにより、肩ベルトの一端を留めそれぞれの袖部１ｂに取り付けられる取付け部材と、掛止部材２が一直線状に並ばないために、かばん本体Ｂの底部を下にしてかばん本体Ｂを立てたときに、かばん本体Ｂが倒れにくく安定して立つことができるという効果を奏する。
【００１８】
掛止部材２は、カブセＣに取り付けられる掛止板Ｐに穿設された嵌合孔Ｐ１に挿通可能とされ、錠体１に回動可能に枢支された部材であり、また、本実施形態において本発明のかばん錠が施錠状態のときに使用者が解錠状態に操作するときに把持する部材である。本実施形態において、掛止部材２は略Ｔ字状を有しており、枢軸２１の部分を第一挿通孔１１に挿通して、錠体１に対して回動可能に枢支されている。
【００１９】
図２、図７に示すように、掛止部材２の枢軸２１は、全般的に略円柱状の形状を有しているが、その中央近傍において、外周が四角形状を有しており、回転制限片３の立設片３２と当接し、掛止部材２に掛けられた力を確実に回転制限片３に伝達することできるようになっている。また、先端部２１Ａにおいて、直径が異なる二種類の略円柱が同心円状に頭部２２側の方において直径が大きくなるよう積層されたような形状を有しており、これらの境界には直径が大きい方の略円柱の端面としてリング状の段差部２１１が形成されている。この段差部２１１に円環部材７が当接することにより、円環部材７により押止される蓋部材６が、枢軸２１の所定の高さを保ち頭部２側に押し込まれないために、コイルばね４が蓋部材６に押され負荷が掛かることがないので、コイルばね４の寿命を延ばし本発明のかばん錠を長く使用することができる。なお、他の実施形態において、蓋部材６１における蓋部材挿通孔６１の径を小さくすることにより蓋部材挿通孔６１の周縁が段差部２１１に当接するようにでき、同様の効果を奏することができる。
【００２０】
掛止部材２の頭部２２は、略直方体形状を有し、その中央付近に枢軸２１を突設している。頭部２２の外形は、掛止板Ｐに穿設された嵌合孔Ｐ１と略同形状であり、嵌合孔Ｐ１の内径よりも小さい径を有しているために、頭部２２が嵌合孔Ｐ１に挿通することができる。また、頭部２２の外形は、係止突体１３とも略同形状を有している。
【００２１】
回動制限片３は、掛止部材２の枢軸２１に挿嵌され、掛止部材２の回動角度を制限する部材である。回動制限片３は、略円板形状を有しており、外周の一部に突設され、コイルばね４の一端と係止可能である切欠を有する係合部３１と、枢軸２１を挿通する貫通孔３５の周縁に枢軸２１の四角形状の外周と当接するよう立設された立設片３２と、外周の一部が凹状に湾曲し係止部材８の鍔部８１と係止可能である係止凹部３３、錠体１の中央部１ａに設けられた規制部１４と当接して回動制限片３の回転角度を約９０度に制限する規制片３４などを備えている。
【００２２】
立設片３２は、貫通孔３５を挟んで対向するように２枚の板状の部材として立設され、枢軸２１の四角形状の部分の外周を挟むように当接して、枢軸２１と固着され、掛止部材２と回転制限片３が確実に連動するようにしている。
【００２３】
コイルばね４は、一端が回転制限片３の係合部３１に係合可能である細線状の一端部４２と、その一端部４２から連続し枢軸２１が挿通される螺旋状のコイル部４１と、コイル部４１から連続し錠体１の中央部１ａで嵌合される細線状の他端部４３を備えている。コイルばね４において、図３から図５における施錠状態では一端部４２と他端部４３には力が加わっておらず付勢力が発生していないが、掛止部材２が回動されると、掛止部材２と連動する回転制限片３の係合部３１が一端部４２と係合し、掛止部材２が約９０度の角度だけ回動され図６及び図７に示す解錠状態となると、回転制限片３係止凹部３３と係止部材８の鍔部８１が係止して一端部４２が時計回りに付勢される付勢力が蓄積される。回転制限片３の係止凹部３３と係止部材８の鍔部８１との係止が解除されると、この蓄積された付勢力によって、一端部４２が回転制限片３の係合部３１を押すことになり、回動制限片３及び回動制限片３と連動する掛止部材２を回動して、図３から図５における施錠状態となる。コイルばね４のコイル部４１は保護部材５の外側に位置するため、位置ずれして当接するとすれば回転制限片３の立設片３２ではなく保護部材５の外周となる。
【００２４】
保護部材５は、コイルばね４のコイル部４１の内側に位置し、枢軸２１に嵌合され、回転制限片３に立設された立設片３２を覆設する部材である。保護部材５は、略角形の筒形状を有しており、枢軸２１を嵌合するために挿通する保護部材挿通孔５１と、対向する側面に立設片３２を覆う窪み部５２を有している。保護部材５により、コイルばね４のコイル部４１の内側が、回転制限片３に立設された立設片３２、特に立設片３２が立ち上がっている側面と直接接触せず、長期間使用してもそのコイルばね４を摩耗させないようにすることができるために、かばん錠の寿命を延ばすことができる。さらに、回転制限片３やコイルばね４などを蓋部材６などで覆うときに、蓋部材６などの材料と回動制限片３との間で保護部材５が干渉し物理的な閊えとなるので、コイルばね４が枢軸２１の挿通方向である上下方向に蓋部材６などの材料で押圧されることを防ぎ、コイルばね４の円滑な動作を確保することもできる。本実施形態において、保護部材５は、内形が四角形状で外形が少し外側に膨らんだ四角形状の略角筒形状を有しているが、他の実施形態において外形を他の多角形状、略円形などの曲面を有する形状とすることができる。
【００２５】
そして、保護部材５は、コイルばね４よりも柔らかい材質であることが好ましい。保護部材５は、角張った部分がなければコイルばね４のコイル部４１の内側を削ったりして摩耗させることはないが、コイルばね４よりも柔らかい材質であると、コイル部４１と接触していても摩耗するのは保護部材５の方なので、かばん錠の寿命を延ばすことができる。具体的に、コイルばね４の材質が硬鋼線やステンレス鋼線などの金属であるときには、保護部材５の材質としては、硬度や耐久性などの特性から、ポリアセタール、ナイロン６，６、ナイロン６、ポリプロピレン、ポリエチレン、ポリ塩化ビニル、ポリスチレン、ポリ酢酸ビニル、ポリウレタン、アクリル樹脂、ＡＢＳ樹脂、ポリエチレンテレフタレート、シリコーン樹脂などの合成樹脂である好ましい。
【００２６】
蓋部材６は、錠体１の中央部１ａに収納される掛止部材２の枢軸２１、回転制限片３、コイルばね４、保護部材５、磁性体Ｍなどを覆って錠体１に固設される部材である。蓋部材６には、掛止部材２の枢軸２１の先端部２１Ａを挿通する蓋部材第一挿通孔６１、係止部材８の一端を挿通する蓋部材第一挿通孔６２が穿設されており、先端部２１Ａを蓋部材挿通孔６１、円環部材７に挿通した後に先端部２１Ａをかしめることにより蓋部材６は錠体１に固設される。また、蓋部材６の一側面から外側に向けて張り出した張出部６３が設けられており、これら張出部６３が磁性体Ｍを錠体１との間で保持する。
【００２７】
円環部材７は、リング状の部材であり、掛止部材２の枢軸２１の先端部２１Ａに段差部２１１と当接するまで挿通して、先端部２１Ａをかしめることにより、錠体１と蓋部材６を固着することができる。
【００２８】
係止部材８は、回転制限片３と当接可能であり、コイルばね４に付勢力が蓄積されているときに回転制限片３と当接して回転制限片３が回動することを制限する部材である。係止部材８は、錠体１の第二挿通孔１２に挿通し棒状の第一軸部８１と、弾性部材９を挿通する第二軸部８２と、第一軸部８１と第二軸部８２との間に円板状の鍔部８３を有している。鍔部８３は、解錠状態のときに回転制限片３の係止凹部３３と係止して回動制限片３が回動することを制限している。そして、掛止板Ｐが第一軸部８１を押し込むと、鍔部８３と係止凹部３３との係止が解除され、回転制限片３及び掛止部材２が回動して掛止部材２から掛止板Ｐを外すことができない施錠状態となる。弾性部材９は、つる巻状のバネ部材であり、一端が蓋部材６に当接し他端が係止部材８と当接して、係止部材８を錠体１に押し当てるように付勢力が働いている。
【００２９】
磁性体Ｍは、常磁性を示す部材であり、錠体１の中央部１ａに収納され、蓋部材６の張出部６３に押さえられて保持される。磁性体Ｍの磁力により、掛止部材２が錠体１に引き寄せられ、掛止部材２が錠体１の中央部１ａに当接し、解錠状態であってもカブセＣからかばん本体Ｂから開かないようにすることができる。具体的には、磁性体Ｍとして、フェライト磁石、アルニコ磁石、ネオジム磁石などの永久磁石であることが好ましい。
【００３０】
次に、本発明のかばん錠の動作について説明する。
【００３１】
図１に示すように、掛止部材２の頭部２２が掛止板Ｐの嵌合孔Ｐ１と交差しており、かばん本体Ｂに対してカブセＣが開かない施錠状態となっている。この状態において、図３から図５に示すように、コイルばね４には付勢力は蓄積されておらず、係止部材８の鍔部８３と回転制限片３の係止凹部３３は係止していない状態である。
【００３２】
この施錠状態から、掛止部材２の頭部２２を時計回りに回動させると、掛止部材２に固着されている回動制限片３の係合部３１がコイルばね４の一端部４１と係合しながらコイルばね４の付勢力に抗って一端部４１を移動させ、掛止部材２の頭部２２が、回動制限片３の規制片３４が規制部１４に当接する約９０度の角度だけ回動したときに、図６及び図７に示すように、係止部材８の鍔部８３と回転制限片３の係止凹部３３が係止することにより、回動制限片３はコイルばね４の付勢力を蓄積した状態で回動しなくなる。このとき、掛止部材２の頭部２２が掛止板Ｐの嵌合孔Ｐ１とから掛止板Ｐを外すことができる解錠状態となる。
【００３３】
そして、解錠状態から、掛止板Ｐを押して係止部材８の第一軸部８１を錠体１側へ押し込むことにより、係止部材８の鍔部８３が蓋部材６側に動くため、回転制限片３の係止凹部３３との係止が解除され、回転制限片３及び掛止部材２がコイルばね４の蓄積された付勢力によって約９０度の角度だけ反対回りに回動する。こうして、図１に示すように、再び掛止部材２の頭部２２が掛止板Ｐの嵌合孔Ｐ１と交差して施錠状態となり、図３から図５に示すように、コイルばね４には付勢力は蓄積されておらず、係止部材８の鍔部８３と回転制限片３の係止凹部３３は係止していない状態に戻ることとなる。
【符号の説明】
【００３４】
１・・・錠体
１ａ・・・中央部
１ｂ・・・袖部
１１・・・第一挿通孔
１２・・・第二挿通孔
１３・・・係止突体
１４・・・規制部
２・・・掛止部材
２１・・・枢軸
２１Ａ・・・先端部
２１１・・・段差部
２２・・・頭部
３・・・回転制限片
３１・・・係合部
３２・・・立設片
３３・・・係止凹部
３４・・・規制片
３５・・・貫通孔
４・・・コイルばね
４１・・・コイル部
４２・・・一端部
４３・・・他端部
５・・・保護部材
５１・・・保護部材挿通孔
５２・・・窪み部
６・・・蓋部材
６１・・・蓋部材第一挿通孔
６２・・・蓋部材第二挿通孔
６３・・・張出部
７・・・円環部材
８・・・係止部材
８１・・・第一軸部
８２・・・第二軸部
８３・・・鍔部
９・・・弾性部材
Ｂ・・・かばん本体
Ｃ・・・カブセ
Ｐ・・・掛止板
Ｐ１・・・嵌合孔
Ｍ・・・磁性体
【図１】
2018168596.tif 000003
【図２】
2018168596.tif 000004
【図３】
2018168596.tif 000005
【図４】
2018168596.tif 000006
【図５】
2018168596.tif 000007
【図６】
2018168596.tif 000008
【図７】
2018168596.tif 000009
【図８】
2018168596.tif 000010
【図９】
2018168596.tif 000011